(57)【特許請求の範囲】
【請求項１】
建築用パネル仮置き具を備えた建築用パネルの組み付け構造であって、
前記建築用パネルは、金属製のパネルフレームと、該パネルフレームの下端から下方に一部突出した状態で前記パネルフレームの表面に固定される仕上げ面材と、を備え、
前記建築用パネル仮置き具は、
前記建築用パネルの高さ方向において前記パネルフレームの底面に永久磁石を用いて着脱可能に取り付けられる本体部分と、
前記建築用パネルに取り付けられたときに、該建築用パネルの厚み方向において該建築用パネルの表面側とは反対側に向かって前記本体部分から延出している側方延出部と、を備え、
前記本体部分の高さは、
前記建築用パネルを仮置きしたときの、前記仕上げ面材のうち前記パネルフレームの下端から下方に突出した部分の長さよりも長く、かつ、
前記建築用パネルを建築物本体に対して組み付けたときの、前記パネルフレームの下端から前記建築物本体の基礎までの長さよりも短くなっていることを特徴とする建築用パネル仮置き具を備えた建築用パネルの組み付け構造。
【請求項２】
前記建築用パネルに取り付けられたときに、前記本体部分のうち、前記厚み方向において前記建築用パネルの表面側とは反対側の端部には、前記建築用パネルの裏面に沿って上方に突出する上方突出部が形成されていることを特徴とする請求項１に記載の建築用パネル仮置き具を備えた建築用パネルの組み付け構造。
【請求項３】
前記側方延出部は、前記建築用パネルに取り付けられたときに、前記本体部分のうち、前記厚み方向において前記建築用パネルの表面側とは反対側の上端部に形成されており、
前記側方延出部は、前記本体部分の上端部から上方に傾斜して延出していることを特徴とする請求項２に記載の建築用パネル仮置き具を備えた建築用パネルの組み付け構造。
【請求項４】
前記本体部分は、水平方向のうち、前記側方延出部の延出方向とは直交する方向において所定の間隔を空けて前記永久磁石を複数備え、
前記上方突出部は、前記側方延出部の一部を切り起こして形成され、前記直交する方向において複数の前記永久磁石の間に配置されていることを特徴とする請求項３に記載の建築用パネル仮置き具を備えた建築用パネルの組み付け構造。
【請求項５】
前記建築用パネルに取り付けられたときに、前記厚み方向において前記建築用パネルの表面側に位置する前記本体部分の前面には、該本体部分よりも弾性の高い弾性部材が取り付けられていることを特徴とする請求項１乃至４のいずれか１項に記載の建築用パネル仮置き具を備えた建築用パネルの組み付け構造。
【発明の詳細な説明】
【技術分野】
【０００１】
本発明は、建築用パネル仮置き具に係り、特に、金属製のパネルフレームと、パネルフレームの端から一部突出した状態でパネルフレームの表面に固定される仕上げ面材と、を有する建築用パネルを仮置きする際に用いられる建築用パネル仮置き具に関する。
【背景技術】
【０００２】
従来から、工場にて製造された各種建築用パネルは、例えばパネル積載ラックに平積みされた状態で、トラック等の運搬車両に積み込まれ、建築現場に輸送されている。
輸送された建築用パネルは、パネル積載ラックに平積みされた状態から、建築現場に据え付けられたクレーン等によって一端部を吊り上げられ、建て起こすように持ち上げられ、建築物本体に対して組み付けられることになる。
このような中で、クレーンによって吊り上げられた建築用パネルは、建築物本体に対して組み付けられる前に一度地面に仮置きしておくことがある。このとき、建築用パネルの仕上げ面材や金具が地面に接触して損傷、破損してしまわないように、建築用パネルを仮置きするための治具が提案されている（例えば、特許文献１参照）。
【０００３】
特許文献１に記載のパネル受治具は、クレーンによって吊り上げられた外壁パネル等の建築用パネルを床面から所定高さ浮かせた状態で仮保持しておくことができる。
また、作業者の安全を確認した上で、操作レバーを操作して建築用パネルを押し出し、建築用パネルを容易に床面上へ下ろすことができる。
【先行技術文献】
【特許文献】
【０００４】
【特許文献１】特開２００５−１０５６６６号公報
【発明の概要】
【発明が解決しようとする課題】
【０００５】
ところで、外壁パネル等の建築用パネルの中には、金属製のパネルフレームと、パネルフレームの端から一部突出した状態でパネルフレームの表面に固定される仕上げ面材と、から構成されているものがある。そして、一般にパネルフレームの裏面には、建築物本体に組み付けるための金具が取り付けられ、また、仕上げ面材の下端部分における裏面には、例えば建築物本体の基礎に設けられる基礎換気スリット用の見切り材を組み付けるための金具が取り付けられている。
そのため、当該建築用パネルを仮置きする際には、仕上げ面材においてパネルフレームから一部突出した部分や、仕上げ面材の下端部分に取り付けられた金具が損傷、破損しないように配慮する必要があった。
しかしながら、特許文献１のようなパネル受け治具では、当該建築用パネルの形状を想定して工夫されているものではなかった。
【０００６】
また、このような建築用パネル仮置き具では、作業者が建築用パネルを仮置きする前にパネルの下端に容易に装着させることができ、かつ、建築用パネルを建築物本体に組み付けるまではそのまま保持させておくことが求められていた。そして、建築用パネルを建築物本体に組み付けた後は、作業者が容易に取り外しできることが求められていた。
【０００７】
本発明は、上記の課題に鑑みてなされたものであり、本発明の目的は、パネルフレームを有する建築用パネルを仮置きする際に用いられ、特に建築用パネルの損傷、破損を防止することが可能な建築用パネル仮置き具を備えた建築用パネルの組み付け構造を提供することにある。
また、本発明の他の目的は、建築用パネルに容易に着脱させることが可能な建築用パネル仮置き具を備えた建築用パネルの組み付け構造を提供することにある。
【課題を解決するための手段】
【０００８】
前記課題は、本発明の建築用パネル仮置き具を備えた建築用パネルの組み付け構造によれば、前記該建築用パネルは、金属製のパネルフレームと、該パネルフレームの下端から下方に一部突出した状態で前記パネルフレームの表面に固定される仕上げ面材と、を備え、前記建築用パネル仮置き具は、前記建築用パネルの高さ方向において前記パネルフレームの底面に永久磁石を用いて着脱可能に取り付けられる本体部分と、前記建築用パネルに取り付けられたときに、該建築用パネルの厚み方向において該建築用パネルの表面側とは反対側に向かって前記本体部分から延出している側方延出部と、を備え、前記本体部分の高さは、前記建築用パネルを仮置きしたときの、前記仕上げ面材のうち前記パネルフレームの下端から下方に突出した部分の長さよりも長く、かつ、前記建築用パネルを建築物本体に対して組み付けたときの、前記パネルフレームの下端から前記建築物本体の基礎までの長さよりも短くなっていること、により解決される。
【０００９】
上記構成により、パネルフレームを有する建築用パネルを仮置きする際に用いられ、建築用パネルの損傷、破損を防止可能な建築用パネル仮置き具を実現できる。
具体的に説明すると、建築用パネルの高さ方向において建築用パネルの底面に永久磁石を用いて着脱可能に取り付けられる本体部分を備えているため、建築用パネルの下端が地面に接触し難くなり、建築用パネルの損傷、破損を防止し易くなる。
また上記構成により、このパネル仮置き具であれば、作業者が建築用パネルを仮置きする前に容易に装着させることができ、かつ、建築用パネルを建築物本体に組み付けるまではそのまま保持させておくことができる。そして、建築用パネルの組み付け後に容易に取り外すことができる。
特に、永久磁石を利用することで、パネル仮置き具を建築用パネルの底面に上下方向の向きからワンタッチで装着させることができ、また、装着された本パネル仮置き具を水平方向の向きからワンタッチで取り外すことができる。
また上記構成により、作業者が側方延出部を把持部として利用することができ、作業者の操作性が向上する。
【００１１】
このとき、前記建築用パネルに取り付けられたときに、前記本体部分のうち、前記厚み方向において前記建築用パネルの表面側とは反対側の端部には、前記建築用パネルの裏面に沿って上方に突出する上方突出部が形成されていると良い。
上記構成により、パネル仮置き具をパネルフレームに取り付けたときに、上方突出部がパネルフレームの裏面に支持されてストッパーの機能を果たすため、水平方向においてパネル仮置き具が仕上げ面材に接触することがなくなる。そのため、仕上げ面材の損傷、破損を一層防止することができる。
【００１２】
このとき、前記側方延出部は、前記建築用パネルに取り付けられたときに、前記本体部分のうち、前記厚み方向において前記建築用パネルの表面側とは反対側の上端部に形成されており、前記側方延出部は、前記本体部分の上端部から上方に傾斜して延出していると良い。
上記構成により、作業者が側方延出部を把持部として利用することができ、作業者の操作性が向上する。
このとき、前記本体部分は、水平方向のうち、前記側方延出部の延出方向とは直交する方向において所定の間隔を空けて永久磁石を複数備え、前記上方突出部は、前記側方延出部の一部を切り起こして形成され、前記直交する方向において複数の前記永久磁石の間に配置されていると良い。
上記のように、上方延出部は、側方延出部の延出方向とは直交する直交方向において複数の永久磁石の間に配置されているため、パネル仮置き具がパネルフレームの底面及び裏面に対して安定して支持されるため、パネル仮置き具の装着性が安定する。
また上記のように、上方突出部は、側方延出部の一部を切り起こして形成されているため、切り起こしによって形成された穴に対して、例えば棒状の工具を引っ掛けることでパネル仮置き具を容易に取り外すことができる。また、上方延出部を切り起こして形成することで、パネル仮置き具の軽量化を図ることができる。
このとき、前記建築用パネルに取り付けられたときに、前記厚み方向において前記建築用パネルの表面側に位置する前記本体部分の前面には、該本体部分よりも弾性の高い弾性部材が取り付けられていると良い。
【発明の効果】
【００１４】
本発明の建築用パネル仮置き具を備えた建築用パネルの組み付け構造によれば、パネルフレームを有する建築用パネルを仮置きする際に用いられ、特に建築用パネルの損傷、破損を防止することができる。
また、当該建築用パネルに建築用パネル仮置き具を容易に着脱させることができる。
【図面の簡単な説明】
【００１５】
【図１】本実施形態の建築用パネル仮置き具の斜視図である。
【図２】建築用パネル仮置き具を別の角度から見たときの斜視図である。
【図３】建築用パネルと建築用パネル仮置き具の分解斜視図である。
【図４】建築用パネルを仮置きした状態を説明する図である。
【図５】建築用パネルを建築物本体に対して組み付けた状態を説明する図である。
【発明を実施するための形態】
【００１６】
以下、本発明の実施形態に係る建築用パネル仮置き具について、図１〜図５を参照しながら説明する。
本実施形態は、金属製のパネルフレームと、パネルフレームの下端から下方に一部突出した状態でパネルフレームの表面に固定される仕上げ面材と、を有する建築用パネルを仮置きする際に用いられる建築用パネル仮置き具であって、パネルフレームの底面に永久磁石を用いて着脱可能に取り付けられる本体部分を備え、本体部分の高さは、建築用パネルを仮置きしたときの、仕上げ面材のうちパネルフレームの下端から下方に突出した部分の長さよりも長くなっており、かつ、建築用パネルを建築物本体に対して組み付けたときの、パネルフレームの下端から建築物本体の基礎までの長さよりも短くなっていることを特徴とする建築用パネル仮置き具の発明に関するものである。
なお、建築用パネル仮置き具（以下、パネル仮置き具とする。）が建築用パネルに取り付けられたときに、建築用パネルの厚み方向を前後方向とし、建築用パネルの幅方向を左右方向とする。
【００１７】
本実施形態のパネル仮置き具１は、建築現場においてクレーンで吊り上げられた建築用パネル４０を、建築物本体５０に対して組み付ける前に一度仮置きしておく際に用いられる部材である。
パネル仮置き具１は、１枚の板状鋼材を図１、図２の形に折り曲げることで形成されており、建築現場において建築用パネル４０を吊り上げて建て起こすときに、建築用パネル４０の下端に対して取り付けられるものである。
なお、パネル仮置き具１は、建築現場に輸送する前に予め工場で建築用パネル４０に対して取り付けられても良い。
【００１８】
建築用パネル４０は、図３に示すように、建築物の外壁を構成し、上下方向に長尺な矩形状の外壁パネルであって、建築物の構造体を形成する金属製のパネルフレーム４１と、パネルフレーム４１の上下の端から一部突出した状態でパネルフレーム４１の表面側に固定される仕上げ面材４２と、から主に構成されている。
パネルフレーム４１は、断面略コ字形状の長尺な鋼材を矩形状に枠組みすることにより形成されている。枠組みされたパネルフレーム４１によって囲まれる空間内には、グラスウールや発泡ウレタン等からなる不図示の断熱材が充填されている。
仕上げ面材４２は、外装仕上げ面材であって、セラミック系の外壁材や耐水合板等から形成されている。
パネルフレーム４１の上端部分における上面と、下端部分における裏面とには、それぞれ建築物本体５０に組み付けるための金具４１ａ、４１ｂが一対となって埋め込まれて取り付けられている。
またパネルフレーム４１の下端部分における底面には、建築物本体５０の基礎６０に設けられる基礎換気スリット用の見切り材を組み付けるための不図示の金具が一対となって取り付けられている。
【００１９】
パネルフレーム４１と仕上げ面材４２の間には、上下方向に長尺なボード状の繊維系断熱材からなる断熱材４３が配置されており、また、断熱材４３と仕上げ面材４２の間には、上下方向に長尺な平板形状のスペーサー４４が配置されている。スペーサー４４によってパネルフレーム４１と仕上げ面材４２の間に通気層が形成されている。
すなわち、建築用パネル４０は、屋内側から屋外側に向かって、断熱材が充填されたパネルフレーム４１、断熱材４３、スペーサー４４、及び仕上げ面材４２の順に配置されており、釘等で固定されて構成されている。
【００２０】
パネル仮置き具１は、図１〜図３に示すように、建築用パネル４０のうち、金属製のパネルフレームの４１の底面に永久磁石１５を用いて着脱可能に取り付けられる本体部分１０を備えている。
またパネル仮置き具１は、パネルフレーム４１に取り付けられたときに、水平方向において本体部分１０の仕上げ面材４２側とは反対側の上端部に形成され、仕上げ面材４２側とは反対側に向かって延出する側方延出部２０と、水平方向において本体部分１０の仕上げ面材４２側とは反対側の上端部に形成され、パネルフレーム４１の裏面に沿って上方に突出する上方突出部３０と、を備えている。
【００２１】
本体部分１０は、略直方体形状からなり、水平方向に沿って延出し、パネルフレーム４１の底面に当接可能な上壁部１１と、上壁部１１の左右幅方向の両端部から連続して屈曲し、それぞれ下方に延出する左右の側壁部１２と、左右の側壁部１２の延出先端部から連続して屈曲し、それぞれ互いに近づく方向に延出する左右の底壁部１３と、上壁部１１の前端部から連続して屈曲して下方に延出し、仕上げ面材４２の裏面に当接可能な前壁部１４と、から主に構成されている。
また本体部分１０は、その上壁部１１の上面において複数の永久磁石１５を備えている。
【００２２】
永久磁石１５は、略リング形状のフェライト磁石からなり、上壁部１１よりもやや上方に突出した状態で、上壁部１１上に取り付け部材を介してネジ締結されている。
永久磁石１５は、上壁部１１において左右幅方向に所定の間隔を空けて設けられ、かつ、前後方向に所定の間隔を空けて設けられており、計４つ取り付けられている。
また永久磁石１５は、上壁部１１において側方延出部２０側に寄らせた位置に配置されており、言い換えると、建築用パネル４０の厚み方向においてパネルフレーム４１に対向する位置に配置されている。
【００２３】
側方延出部２０は、略矩形板状からなり、作業者が把持部として利用可能な部分であって、本体部分の上端部からやや上方に傾斜して後方へ延出している。
詳しく言うと、側方延出部２０は、永久磁石１５の上端よりもやや上方に突出した状態で設けられている。そのため、パネル仮置き具１がパネルフレーム４１の底面に取り付けられたときに、作業者が側方延出部２０を把持部として掴み易い形状となっている。
また側方延出部２０の前後方向の長さは、本体部分１０の前後方向の長さよりも短くなっている。そのため、パネル仮置き具１の前後方向におけるコンパクト化が達成される。
【００２４】
上方突出部３０は、略楕円板状からなり、パネルフレーム４１の裏面を支持してストッパーの機能を果たす部分であって、上方に突出形成されている。
詳しく言うと、上方突出部３０は、側方延出部２０の左右幅方向の中央部分を一部切り起こして形成され、パネルフレーム４１の裏面に沿って上方に突出している。そのため、パネル仮置き具１がパネルフレーム４１の底面に取り付けられたときに、パネル仮置き具１の本体部分１０が仕上げ面材の裏面に接触することがなくなる。その結果、仕上げ面材４２の損傷、破損を一層防止することができる。
【００２５】
次に、パネル仮置き具１を用いて建築用パネル４０を地面に仮置きした状態を図４に基づいて説明する。
パネル仮置き具１は、建て起こされた建築用パネル４０を地面に仮置きする前に、パネルフレーム４１の底面に対して所定の間隔を空けながら下方から複数装着される。
詳しく言うと、パネル仮置き具１は、パネルフレーム４１の底面のうち、左右幅方向においてパネルフレーム４１の一対の金具４１ｂを避けた外側位置に一対となって取り付けられている。
またパネル仮置き具１は、パネルフレーム４１の底面のうち、基礎換気スリット用の見切り材を組み付けるために設けられた不図示の金具を避けた外側位置に取り付けられている。
【００２６】
上記構成において、パネル仮置き具１の本体部分１０の高さｈ１は、建築用パネル４０を地面に仮置きしたときに、仕上げ面材４２のうちパネルフレーム４１の下端から下方に突出した部分の長さｈ２よりも長くなっている。
なお、本実施例において本体部分１０の高さｈ１とは、永久磁石１５の上端から底壁部１３の下端までの高さに相当する。
そのため、仕上げ面材４２の下端が地面に接触することがなく、仕上げ面材４２の損傷、破損を防止することができる。
【００２７】
また上記構成において、パネル仮置き具１が永久磁石１５を備えているため、永久磁石１５を利用することで、パネル仮置き具１を金属製のパネルフレーム４１の底面に上下方向の向きからワンタッチで装着させることができる。そして、作業者が建築用パネル４０を建築物本体５０に組み付けるまではそのまま保持させておくことができる。
【００２８】
次に、パネル仮置き具１が装着された建築用パネル４０を建築物本体５０に対して組み付けた状態を図５に基づいて説明する。
建築用パネル４０となる外壁パネルは、建築物本体５０の外側面に対して組み付けられており、具体的には、パネルフレーム４１の裏面にある一対の金具４１ａ、一対の金具４１ｂと、建築物本体５０の表面にある不図示の金具とが重ね合わされた状態でボルト締結されている。
【００２９】
建築用パネル４０が組み付けられたとき、建築用パネル４０の下端に装着されたパネル仮置き具１は、水平方向において建築物本体５０と対向しない位置にある一方で、上下方向において基礎６０と対向する位置に配置されている。
【００３０】
上記構成において、パネル仮置き具１の本体部分１０の高さｈ１は、建築用パネル４０を建築物本体５０に対して組み付けたときに、パネルフレーム４１の下端から基礎６０までの長さｈ３よりも短くなっている。
そのため、パネル仮置き具１が上下方向において建築用パネル４０（パネルフレーム４１）と、基礎６０との間に挟まれることがない。その結果、建築用パネル４０の組み付け後は、パネル仮置き具１を水平方向の向きに容易に取り外すことができる。
特に、永久磁石１５を利用することで、建築用パネル４０に装着された本パネル仮置き具を水平方向の向きにワンタッチで取り外すことができる。
【００３１】
また上記構成において、パネル仮置き具１の側方延出部２０には、切り起こしによって形成された穴が形成されている。当該穴を利用して、例えば棒状の工具を引っ掛けることができる。そうすると、パネルフレーム４１に装着させたパネル仮置き具１を工具で引き寄せて容易に取り外すことができる。
【００３２】
なお、建築物本体５０の一部であって、建築用パネル４０と基礎６０とを連結する部分となる断面略Ｌ字形状の連結金具５１は、建築用パネル４０の左右幅方向の中央部分に配置されている。
そのため、建築用パネル４０の左右幅方向の両端部に装着されたパネル仮置き具１を、建築物本体５０側に向かって取り外すことができる程度の隙間が十分に確保されている。
【００３３】
＜その他の実施形態＞
上記実施形態では、図３に示すように、建築用パネル４０の実施例として外壁パネルを地面に仮置きする際にパネル仮置き具１が用いられているが、外壁パネルの場合に特に限定されることなく広く利用可能である。
例えば天井パネルや床パネル、内壁パネル等の建築用パネルを仮置きする際にこのパネル仮置き具１が用いられても良い。
【００３４】
また上記実施形態では、図４に示すように、パネル仮置き具１がパネルフレーム４１の底面に永久磁石を用いて着脱可能に取り付けられているが、着脱方式として永久磁石に限定されることなく適宜変更可能である。
例えば、パネル仮置き具１が、パネルフレーム４１に設けられた被掛け止め部に着脱可能な掛け止め部を備えていても良いし、また、パネルフレーム４１に設けられた被締結部に着脱可能なボルト締結部を備えていても良い。
【００３５】
また上記実施形態では、図１、図２に示すように、永久磁石１５が本体部分１０の上壁部１１に対してやや上方に突出した状態で取りつけられているが、特に限定されることなく、上壁部１１の上面と略面一となるように埋め込まれて取り付けられても良い。
また永久磁石１５が、本体部分１０の上壁部１１上に取り付けられているが、特に配置限定されることなく、例えば上方突出部３０上に取り付けられていても良い。
【００３６】
また上記実施形態では、図４に示すように、上方突出部３０がパネルフレーム４１の裏面に対して単に当接可能となるように設けられているが、パネル仮置き具１の装着性を向上させるために、上方突出部３０とパネルフレーム４１とを互いに掛け止め可能な構成にしても良いし、これらをボルト締結可能な構成にしても良い。
【００３７】
また上記実施形態では、図４に示すように、本体部分１０の前壁部１４が仕上げ面材４２の裏面に対向する位置に配置されているが、ここで前壁部１４の前面に対して弾性の高いパッドのような弾性部材が新たに取り付けられても良い。
このようにすれば、パネル仮置き具１をパネルフレーム４１に取り付けたときに、仕上げ面材４２の損傷、破損を一層防止することができる。
【００３８】
上記実施形態では、主として本発明に係る建築用パネル仮置き具に関して説明した。
ただし、上記の実施形態は、本発明の理解を容易にするための一例に過ぎず、本発明を限定するものではない。本発明は、その趣旨を逸脱することなく、変更、改良され得ると共に、本発明にはその等価物が含まれることは勿論である。
【符号の説明】
【００３９】
１  パネル仮置き具（建築用パネル仮置き具）
１０  本体部分
１１  上壁部
１２  側壁部
１３  底壁部
１４  前壁部
１５  永久磁石
２０  側方延出部
３０  上方延出部
４０  建築用パネル
４１  パネルフレーム
４１ａ、４１ｂ  金具
４２  仕上げ面材
４３  断熱材
４４  スペーサー
５０  建築物本体
５１  連結金具
６０  基礎
ｈ１  本体部分の高さ
ｈ２、ｈ３  長さ
【図１】
0006690912.tif 000002
【図２】
0006690912.tif 000003
【図３】
0006690912.tif 000004
【図４】
0006690912.tif 000005
【図５】
0006690912.tif 000006